(57)【要約】【課題】状態に応じた表示項目を含むヘルプ画面を表示できる画像表示装置、ヘルプ画面表示方法、ヘルプ画面表示プログラム及び記録媒体を提供すること。【解決手段】入力する画像情報に応じた画像を表示する画像表示手段３と、装置全体を制御する制御手段８１とを備えた画像表示装置１であって、画像表示装置１の状態を検出する状態検出手段７を備え、制御手段８１は、状態検出手段７により検出された当該画像表示装置の状態に基づいて、当該状態における優先度の高い事象に係るヘルプ画面を、前記画像表示手段に表示させるヘルプ画面表示部を備える。これによれば、画像表示装置の状態に応じたヘルプ画面が画像表示手段３により表示されるので、例えば、深刻な異常が発生した場合でも、当該異常の発生や対処方法を、使用者に通知することができる。【選択図】図１
2014209244.tif 000002
【特許請求の範囲】
【請求項１】
入力する画像情報に応じた画像を表示する画像表示手段と、装置全体を制御する制御手段とを備えた画像表示装置であって、
当該画像表示装置の状態を検出する状態検出手段を備え、
前記制御手段は、
前記状態検出手段により検出された当該画像表示装置の状態に基づいて、当該状態における優先度の高い事象に係るヘルプ画面を、前記画像表示手段に表示させるヘルプ画面表示部を備えることを特徴とする画像表示装置。
【請求項２】
請求項１に記載の画像表示装置において、
前記状態検出手段により検出される当該画像表示装置の状態に係る各事象と、前記各事象の優先度と、前記各事象に応じた表示項目とが関連付けて記憶された記憶手段を備え、
前記ヘルプ画面表示部は、
前記状態検出手段により検出された当該画像表示装置の状態に係る前記各事象のうち優先度の高い事象に応じた前記表示項目を前記記憶手段から取得する表示項目取得部と、
取得された前記表示項目が表記された前記ヘルプ画面を生成するヘルプ画面生成部とを備えることを特徴とする画像表示装置。
【請求項３】
入力する画像情報に応じた画像を表示する画像表示手段と、装置全体を制御する制御手段とを備えた画像表示装置に用いられ、当該画像表示装置の状態に応じたヘルプ画面を表示するヘルプ画面表示方法であって、
前記画像表示装置は、当該画像表示装置の状態を検出する状態検出手段を備え、
当該ヘルプ画面表示方法は、
前記状態検出手段により、前記画像表示装置の状態を検出する状態検出ステップと、
検出された前記状態に基づいて、当該状態における優先度の高い事象に係るヘルプ画面を、前記画像表示手段に表示させるヘルプ画面表示ステップとを有することを特徴とするヘルプ画面表示方法。
【請求項４】
請求項３に記載のヘルプ画面表示方法において、
前記画像表示装置は、
前記状態検出手段により検出される当該画像表示装置の状態に係る各事象と、前記各事象の優先度と、前記各事象に応じた表示項目とが関連付けて記憶された記憶手段を備え、
当該ヘルプ画面表示方法は、前記状態検出ステップの後に、
前記状態検出手段により検出された前記画像表示装置の状態に係る前記各事象のうち、優先度が高い事象に応じた前記表示項目を前記記憶手段から取得する表示項目取得ステップと、
取得された前記表示項目が表記された前記ヘルプ画面を生成するヘルプ画面生成ステップとを有し、
前記ヘルプ画面表示ステップは、前記ヘルプ画面生成ステップにて生成された前記ヘルプ画面を表示させることを特徴とするヘルプ画面表示方法。
【請求項５】
入力する画像情報に応じた画像を表示する画像表示手段と、装置全体を制御する制御手段とを備えた画像表示装置の前記制御手段により実行され、前記画像表示装置の状態に応じたヘルプ画面を表示するヘルプ画面表示プログラムであって、
前記画像表示装置は、当該画像表示装置の状態を検出する状態検出手段を備え、
当該ヘルプ画面表示プログラムは、前記制御手段に、
前記状態検出手段により検出された前記画像表示装置の状態に係る状態情報を取得する状態情報取得ステップと、
取得された前記状態情報に基づいて、優先度の高い事象に係るヘルプ画面を、前記画像表示手段に表示させるヘルプ画面表示ステップとを実行させることを特徴とするヘルプ画面表示プログラム。
【請求項６】
請求項５に記載のヘルプ画面表示プログラムをコンピュータ読取可能に記録したことを特徴とする記録媒体。
【発明の詳細な説明】
【技術分野】
【０００１】
本発明は、入力する画像情報に応じた画像を表示する画像表示手段と、装置全体を制御する制御手段とを備えた画像表示装置、当該画像表示装置に用いられるヘルプ画面表示方法、ヘルプ画面表示プログラム及び記録媒体に関する。
【背景技術】
【０００２】
従来、入力する画像情報に応じた画像を表示する画像表示装置が知られている。このような画像表示装置としては、光源と、当該光源から射出された光を画像情報に応じて変調して画像光を形成する光変調装置と、形成された画像光をスクリーン等に射出する投射レンズ等の投射光学装置とを備えたプロジェクタや、液晶、プラズマ及び有機ＥＬ（Electroluminescence）等のディスプレイ等が挙げられる。
【０００３】
ところで、近年の画像表示装置では、機能の多様化が進んでおり、これに伴い、画像表示装置の操作も複雑化している。このため、所望の機能を実行する操作方法や、問題が生じた場合の対処方法を使用者が覚えきれない場合があり、このような場合に、説明書等で必要な情報を調べることを使用者に強いるという問題がある。このため、使用者が簡易に操作方法や問題の対処方法を調べることができるヘルプ画面を表示する画像形成装置が知られている（例えば、特許文献１参照）。
この特許文献１に記載の画像形成装置では、使用者がヘルプキーを入力すると、当該画像形成装置が、現在表示中の警告や操作方法に対するメッセージを確認し、当該表示中のメッセージの説明となるヘルプ画面を表示する。これにより、警告に対する対処方法や操作方法を簡易に把握することができる。
【先行技術文献】
【特許文献】
【０００４】
【特許文献１】特開２００５−３７８８６号公報
【発明の概要】
【発明が解決しようとする課題】
【０００５】
しかしながら、特許文献１に記載の画像形成装置では、異常等の事象がそれぞれ個別に生じた場合には、当該事象が発生するごとに関連したメッセージを表示すればよいが、複数の事象が同時に発生した場合に、対応が遅れるという問題がある。
例えば、接続された外部機器から入力する画像信号に応じた画像を表示する画像表示装置において、当該画像表示装置の内部温度が急上昇するという事象と、外部機器から画像信号が入力していないという事象が同時に発生した場合、それぞれの事象に対応するメッセージ及びヘルプ画面がそれぞれ別個に表示される場合には、その表示順によって、当該事象の対応が遅れる。このような場合、緊急を要する事象に対しての対応が遅れる可能性があるという問題がある。
【０００６】
本発明の目的は、状態に応じて優先度の高い項目を含むヘルプ画面を表示することができる画像表示装置、ヘルプ画面表示方法、ヘルプ画面表示プログラム及び記録媒体を提供することである。
【課題を解決するための手段】
【０００７】
前記した目的を達成するために、本発明の画像表示装置は、入力する画像情報に応じた画像を表示する画像表示手段と、装置全体を制御する制御手段とを備えた画像表示装置であって、当該画像表示装置の状態を検出する状態検出手段を備え、前記制御手段は、前記状態検出手段により検出された当該画像表示装置の状態に基づいて、当該状態における優先度の高い事象に係るヘルプ画面を、前記画像表示手段に表示させるヘルプ画面表示部を備えることを特徴とする。
【０００８】
ここで、優先度の高低とは、画像表示装置の駆動における異常の深刻度とすることができ、例えば、直ちに対処すべき事象は、優先度が高く、また、画像表示設定等の画像表示装置の設定に関する事象は、優先度を低くすることができる。
また、ヘルプ画面は、画像表示装置が自律的に表示するようにしてもよく、また、使用者の操作によって表示するようにしてもよい。さらに、ヘルプ画面の内容としては、状態検出手段により検出された各事象に関連した情報とすることができ、例えば、異常に対処するための対処方法や、異常が発生したことを示すメッセージとすることができるほか、異常等が生じていない場合には、設定項目を含むメニュー画面とすることもできる。
加えて、画像表示装置の状態とは、状態検出手段により複数の事象を検出可能である場合には、当該各事象を総じて表すものであり、このような事象としては、当該画像表示装置の動作状態（例えば、冷却用のファンが設けられている場合には、当該ファンの駆動状態）のほか、画像表示装置が有する構成の状態（例えば、吸気口が形成され、当該吸気口にフィルタが設けられている場合には、当該フィルタの目詰まり状態）とすることができる。
【０００９】
本発明によれば、ヘルプ画面表示部により画像表示手段にて表示されるヘルプ画面は、画像表示装置の状態に基づく優先度の高い事象に係るヘルプ画面とされる。これによれば、例えば、画像表示装置の駆動において深刻な異常が発生した場合には、他の事象に優先して当該異常と認識される事象に関する情報を表示することができる。このため、使用者に当該異常に関係する情報をヘルプ画面として通知することができる。従って、画像表示装置に深刻な異常が生じた場合に、当該異常に対して使用者が迅速に対応することができる。
また、画像表示装置の状態に応じて優先度の高い事象に係るヘルプ画面を表示することにより、使用者が表示されたメニュー画面から、現在の画像表示装置の状態に沿って項目を選択する等の手間を省くことができる。従って、画像表示装置の操作性を向上することができる。
【００１０】
本発明では、前記状態検出手段により検出される当該画像表示装置の状態に係る各事象と、前記各事象の優先度と、前記各事象に応じた表示項目とが関連付けて記憶された記憶手段を備え、前記ヘルプ画面表示部は、前記状態検出手段により検出された当該画像表示装置の状態に係る前記各事象のうち優先度の高い事象に応じた前記表示項目を前記記憶手段から取得する表示項目取得部と、取得された前記表示項目が表記された前記ヘルプ画面を生成するヘルプ画面生成部とを備えることが好ましい。
【００１１】
本発明によれば、記憶手段には、状態検出手段で検出可能な各事象と、当該各事象に対応する優先度と、当該各事象が発生した場合に表示すべき表示項目とが関連付けられて記憶されている。そして、表示項目取得部が、状態検出手段により検出された画像表示装置の状態の各事象のうち、優先度が高い事象に対応する表示項目を記憶手段から取得し、ヘルプ画面生成部が、取得された表示項目が表記されたヘルプ画面を生成する。
これによれば、状態検出手段が検出する画像表示装置の状態に応じて、優先度及び表示項目を予め記憶手段に記憶させておくことで、確実に優先度の高い事象に応じた表示項目を画像表示手段に表示させることができる。従って、適切な表示項目を適切な優先度に従って表示することができる。
また、記憶手段に記憶された優先度や表示項目を変更することにより、画像表示装置の構成に合わせて記憶手段の内容及びヘルプ画面の表示内容を変更することができる。従って、画像表示装置の汎用性を向上することができる。
【００１２】
また、本発明のヘルプ画面表示方法は、入力する画像情報に応じた画像を表示する画像表示手段と、装置全体を制御する制御手段とを備えた画像表示装置に用いられ、当該画像表示装置の状態に応じたヘルプ画面を表示するヘルプ画面表示方法であって、前記画像表示装置は、当該画像表示装置の状態を検出する状態検出手段を備え、当該ヘルプ画面表示方法は、前記状態検出手段により、前記画像表示装置の状態を検出する状態検出ステップと、検出された前記状態に基づいて、当該状態における優先度の高い事象に係るヘルプ画面を、前記画像表示手段に表示させるヘルプ画面表示ステップとを有することを特徴とする。
【００１３】
本発明によれば、前述の画像表示装置と同様の効果を奏することができる。
すなわち、ヘルプ画面表示ステップにて、画像表示手段により表示されるヘルプ画面は、状態検出ステップにて検出された画像表示装置の状態に基づく優先度の高い事象に係るヘルプ画面とされる。これによれば、例えば、画像表示装置に生じる深刻な異常に対して優先度が高く設定されている場合には、他の事象に優先して当該異常に係るヘルプ画面を表示して、使用者に当該異常の発生を通知することができる。従って、当該深刻な異常に対して迅速に対処することができる。
また、画像表示装置の状態に応じて優先度の高い事象に係るヘルプ画面を表示することにより、当該画像表示装置の状態に合わせて、表示されたメニュー画面上の項目を選択する等の手間を省くことができる。従って、画像表示装置の操作性を向上することができる。
【００１４】
また、本発明では、前記画像表示装置は、前記状態検出手段により検出される当該画像表示装置の状態に係る各事象と、前記各事象の優先度と、前記各事象に応じた表示項目とが関連付けて記憶された記憶手段を備え、当該ヘルプ画面表示方法は、前記状態検出ステップの後に、前記状態検出手段により検出された前記画像表示装置の状態に係る前記各事象のうち、優先度が高い事象に応じた前記表示項目を前記記憶手段から取得する表示項目取得ステップと、取得された前記表示項目が表記された前記ヘルプ画面を生成するヘルプ画面生成ステップとを有し、前記ヘルプ画面表示ステップは、前記ヘルプ画面生成ステップにて生成された前記ヘルプ画面を表示させることが好ましい。
【００１５】
本発明によれば、前述の記憶手段を備えた画像表示装置と同様の効果を奏することができる。
すなわち、本発明によれば、状態検出ステップにて検出された画像表示装置の状態から、表示項目取得ステップにて、当該状態の各事象のうち優先度が高い事象に対応する表示項目が取得され、ヘルプ画面生成ステップにて、取得された表示項目が表記されたヘルプ画面が生成され、当該ヘルプ画面がヘルプ画面表示ステップにて表示される。
これによれば、状態検出手段により検出される画像表示装置の状態に応じて、優先度及び表示項目を記憶手段に記憶させておくことで、優先度の高い事象に応じた表示項目を、誤りなく表示させることができる。また、記憶手段に記憶された優先度や表示項目の内容を変更することにより、画像表示装置の構成に合わせてヘルプ画面の表示内容を変更することができる。従って、画像表示装置の汎用性を向上することができる。
【００１６】
また、本発明にヘルプ画面表示プログラムは、入力する画像情報に応じた画像を表示する画像表示手段と、装置全体を制御する制御手段とを備えた画像表示装置の前記制御手段により実行され、前記画像表示装置の状態に応じたヘルプ画面を表示するヘルプ画面表示プログラムであって、前記画像表示装置は、当該画像表示装置の状態を検出する状態検出手段を備え、当該ヘルプ画面表示プログラムは、前記制御手段に、前記状態検出手段により検出された前記画像表示装置の状態に係る状態情報を取得する状態情報取得ステップと、取得された前記状態情報に基づいて、優先度の高い事象に係るヘルプ画面を、前記画像表示手段に表示させるヘルプ画面表示ステップとを実行させることを特徴とする。
【００１７】
本発明によれば、前述のヘルプ画面表示方法と同様の効果を奏することができる。
すなわち、表示されるヘルプ画面は、検出された画像表示装置の状態に基づく優先度の高い事象に応じたヘルプ画面とされるので、例えば、画像表示装置に生じる深刻な異常に対して優先度が高く設定されている場合には、当該異常に係るヘルプ画面を表示して、使用者に当該異常の発生を通知することができる。従って、当該深刻な異常に対して迅速に対処することができる。また、画像表示装置の状態に基づいて、優先度の高い事象に係るヘルプ画面を表示することにより、表示されたメニュー画面上の項目から、現在の画像表示装置の状態に対応する項目を使用者が選択する等の手間を省くことができる。従って、画像表示装置の操作性を向上することができる。
【００１８】
また、本発明の記録媒体は、前述のヘルプ画面表示プログラムをコンピュータ読取可能に記録したことを特徴とする。
本発明によれば、画像表示装置が、当該記録媒体に記録されたヘルプ画面表示プログラムを読み取って実行することにより、前述のヘルプ画面表示プログラムと同様の効果を奏することができる。また、記録媒体として、ＤＡＴ（Digital Audio Tape）等の磁気テープ、ＦＤ（Flexible Disc）等の磁気ディスク、ＣＤ（Compact Disc）及びＤＶＤ（Digital Versatile Disc）等の光ディスク、光磁気ディスク、ハードディスク装置、並びに、ＲＯＭ（Read Only Memory）及びフラッシュメモリ等の半導体メモリ等を用いることができ、これらを利用して、前述のヘルプ画面表示プログラムをインストール、実行及び配布することができる。
【図面の簡単な説明】
【００１９】
【図１】本発明の一実施形態に係るプロジェクタの構成を示すブロック図。
【図２】前記実施形態における状態検出手段の構成を示すブロック図。
【図３】前記実施形態における表示優先度とプロジェクタの状態とが関連したルックアップテーブルを示す図。
【図４】前記実施形態における各表示優先度に含まれる事象が生じた場合の表示項目の一例を示す図。
【図５】前記実施形態における制御手段の構成を示すブロック図。
【図６】前記実施形態におけるヘルプ画面表示処理の処理過程を示すフローチャート。
【発明を実施するための形態】
【００２０】
以下、本発明の一実施形態を図面に基づいて説明する。
〔プロジェクタ１の全体構成〕
図１は、本実施形態に係るプロジェクタ１の構成を示すブロック図である。
本実施形態のプロジェクタ１は、光源から射出された光束を、入力する画像情報に応じて変調して画像光を形成し、当該画像光をスクリーンＳＣ等の投射面に投射して、画像光に係る画像を表示する画像表示装置である。このプロジェクタ１は、図１に示すように、画像表示手段３、通信手段４、操作信号受信手段５、操作パネル６、状態検出手段７、制御基板８と、これらを内部に収納する筐体２とを備えて構成されている。また、図示を省略したが、筐体２内には、これらの他に、プロジェクタ１の装置全体に駆動電力を供給する電源装置、画像表示手段３及び制御基板８等の冷却対象を冷却するファン等の冷却手段、及び、音声を出力するスピーカ等が配置されている。
【００２１】
〔筐体２の構成〕
筐体２は、金属や合成樹脂製の筐体であり、全体略直方体形状に形成されている。この筐体２には、詳しい図示を省略するが、前述の冷却手段の駆動により、筐体２内部に外部の空気を導入する吸気口や、筐体２内の冷却対象を冷却し熱を帯びた空気を排出する排気口が形成されている。そして、これら吸気口及び排気口には、防塵のためのフィルタが設けられている。また、筐体２には、後述する画像表示手段３を構成し、かつ、光源ランプを有する光源装置３１を交換するための開口が形成され、当該開口には、ランプカバーが設けられている。
【００２２】
〔画像表示手段３の構成〕
画像表示手段３は、後述する制御基板８を構成する制御手段８１から入力する画像信号に係る駆動信号に応じた画像光を形成し、当該画像光をスクリーンＳＣ等に投影するものである。この画像表示手段３は、光源装置３１、液晶ライトバルブ３２、投射レンズ３３、並びに、例えば、色度補正用のシネマフィルタ及び光量調節を行う自動絞り機構等の各種光学部品（図示省略）を備えて構成されている。
【００２３】
光源装置３１は、本実施形態では、詳しい図示を省略したが、メタルハライドランプや高圧水銀ランプ等の放電光源ランプと、当該放電光源ランプから射出された光を一方向に揃えて射出するリフレクタとを備えて構成されており、当該放電光源ランプは、後述する制御手段８１を構成する光源駆動制御部８１６により制御される。そして、光源装置３１から射出された光は、図示しない複数の光学部品を介して、液晶ライトバルブ３２の画像形成領域に重畳される。なお、このような光源装置３１は、複数のＬＥＤ（Light Emitting Diode）やＬＤ（Laser Diode）等の半導体発光素子で構成することも可能である。
【００２４】
液晶ライトバルブ３２は、後述する制御手段８１を構成するライトバルブ駆動制御部８１５（図５）による制御下で、光源装置３１から射出された光束を変調して当該ライトバルブ駆動制御部８１５から入力する駆動信号に応じた画像を形成する光変調装置である。この液晶ライトバルブ３２は、詳しい図示を省略したが、液晶パネルと、当該液晶パネルを挟む一対の偏光板とを備えて構成されている。
このうち、液晶パネルは、一対の透明ガラス基板に電気光学物質である液晶が密閉封入された構成を有し、ライトバルブ駆動制御部８１５から入力する駆動信号に応じて、画像形成領域内にある液晶の配向状態が制御され、当該液晶パネルの光入射側に位置する偏光板を透過した偏光光束の偏光方向を変調して光学像を形成する。
【００２５】
液晶パネルを挟む一対の偏光板は、それぞれ入射した光束のうち、所定方向の偏光光のみ透過させ、その他の光束を吸収する。これら偏光板は、例えば、サファイアガラスまたは水晶等の透光性基板上に偏光膜が貼付された構成を有している。これら偏光板のうち、液晶パネルの光射出側に位置する偏光板は、液晶パネルから射出された光束のうち、入射側の偏光板における光束の透過軸と直交する偏光軸を有する光束のみ透過させる。
【００２６】
投射レンズ３３は、詳しい図示を省略するが、鏡筒内部に複数のレンズが収納された組レンズとして構成された投射光学装置である。この投射レンズ３３は、液晶ライトバルブ３２を介して形成された画像光を拡大投射し、当該画像光をスクリーンＳＣ等の画像表示領域上に結像させる。
【００２７】
〔通信手段４の構成〕
通信手段４は、外部機器から出力された画像情報を状態検出手段７及び制御手段８１に出力する。この通信手段４は、ＰＣ（Personal Computer）９１等と無線通信を行うモジュールと、例えば、ＤＶＤ（Digital Versatile Disc）等の映像再生装置９２に接続される画像信号入力端子とを備えて構成されている。このような入力端子として、例えば、ビデオ入力端子、コンポーネント入力端子、ＤＶＩ（Digital Visual Interface）端子及びＨＤＭＩ（High-Definition Multimedia Interface）端子等を挙げることができる。
【００２８】
〔操作信号受信手段５及び操作パネル６の構成〕
操作信号受信手段５は、操作手段としてのリモコン９３から出力された操作信号、例えば、赤外線信号を受信して、内部処理可能なデジタル信号に変換し、当該デジタル信号を制御手段８１に出力する。ここで、このようなリモコン９３には、各種キーが配設されており、当該リモコン９３は、使用者により入力されたキーに応じた赤外線信号を出力する。このようなキーとして、プロジェクタ１の電源をオン／オフする電源キーや、ヘルプ画面を表示するためのヘルプキー等が配設されている。
操作パネル６は、プロジェクタ１の外部に露出して設けられた操作手段であり、前述のリモコン９３と同様の複数のキーが配設されている。この操作パネル６は、入力されたキーに応じた操作信号を、制御手段８１に出力する。
【００２９】
〔状態検出手段７の構成〕
図２は、状態検出手段７の構成を示すブロック図である。
状態検出手段７は、プロジェクタ１の状態を検出するものであり、各種機能部７１〜７Ｂを備えて構成されている。具体的に、状態検出手段７は、図２に示すように、ランプカバー状態検出部７１、ファン状態検出部７２、フィルタ状態検出部７３、シネマフィルタ状態検出部７４、オートアイリス状態検出部７５、風量状態検出部７６、通信状態検出部７７、累積点灯時間計時部７８、内部温度検出部７９、信号入力検出部７Ａ及び入力信号判定部７Ｂを備えて構成されている。
【００３０】
ランプカバー状態検出部７１は、筐体２に形成された光源ランプ交換用の開口を覆うランプカバーが装着されているか否かを検出する。そして、ランプカバー状態検出部７１は、ランプカバーが装着されていないことを検出すると、後述する制御基板８を構成する制御手段８１に割り込み信号を出力し、当該制御手段８１に光源装置３１への電力供給を停止させる。
ファン状態検出部７２は、前述の冷却手段を構成する冷却ファンが駆動しているか否かを検出する。
【００３１】
フィルタ状態検出部７３は、前述の筐体２の吸気口及び排気口に設けられたフィルタの有無を検出するほか、当該吸気口及び排気口を流通する空気の風量により、フィルタの目詰まり具合を検出する。このようなフィルタ状態検出部７３は、圧力センサや白金薄膜温度センサ等により構成することができる。
シネマフィルタ状態検出部７４は、光学部品として前述の画像表示手段３に設けられたシネマフィルタの状態を検出する。このようなシネマフィルタ状態検出部７４は、例えば、シネマフィルタを透過した光束の色度を検出する。
【００３２】
オートアイリス状態検出部７５は、光学部品として前述の画像表示手段３に設けられ、制御手段８１によって駆動が制御される自動絞り機構の駆動状態を検出する。具体的に、オートアイリス状態検出部７５は、制御手段８１からの駆動信号に応じた光量を、自動絞り機構が実現できているか否かを検出する。
風量状態検出部７６は、吸気口及び排気口に流通する風量を検出する。
通信状態検出部７７は、通信手段４を介して行われるＰＣ９１との通信接続の確立状態を検出する。具体的に、通信状態検出部７７は、通信手段４が当該通信接続を確立可能な状態にあるか否かを検出する。
【００３３】
累積点灯時間計時部７８は、前述の光源装置３１を構成する光源ランプの累積点灯時間を計時する。
内部温度検出部７９は、筐体２内の温度を検出する。例えば、内部温度検出部７９は、光源装置３１近傍の温度や、制御基板８の温度、及び、電源装置の温度等を検出する。
信号入力検出部７Ａは、通信手段４を介してＰＣ９１や映像再生装置９２から画像信号が入力しているか否かを検出する。
入力信号判定部７Ｂは、通信手段４を介してＰＣ９１及び映像再生装置９２から入力すする画像信号が、制御手段８１で処理可能な信号であるか否かを検出する。
【００３４】
〔記憶手段８２の構成〕
図３は、表示優先度とプロジェクタの状態とが関連したルックアップテーブルを示す図である。
図１に戻り、制御基板８は、プロジェクタ１全体を制御するものであり、ＣＰＵ（Central Processing Unit）等が実装された回路基板として構成されている。この制御基板８は、ＣＰＵ等から構成される制御手段８１と、記憶手段８２とを備えている。
このうち、記憶手段８２は、フラッシュメモリにより構成され、制御基板８での処理に必要な各種プログラムやデータを記憶している。このような記憶手段８２に記憶されているプログラムとして、例えば、後述するヘルプ画面表示処理を制御手段８１に実行させるためのヘルプ画面表示プログラムが挙げられる。また、データとして、図３に示すルックアップテーブル（Look Up Table）等が挙げられる。
【００３５】
このルックアップテーブルには、ヘルプ画面に対処方法等を表示すべき事象と、当該事象の表示優先度とが関連付けられて設定されている。
具体的に、表示優先度が最も高い優先度１には、プロジェクタ１に深刻な異常が生じ、緊急を要する場合の事象が設定されている。例えば、優先度１には、筐体２内に設けられた冷却ファンが故障した状態や、吸気口及び排気口に装着されるべきエアフィルタが未装着である状態が設定されている。
優先度２には、プロジェクタ１が故障し、修理が必要な場合の事象が設定されている。例えば、優先度２には、光学部品であるシネマフィルタが劣化した状態、光量調節に用いられる自動絞り機構（オートアイリス）が故障した状態、吸気口及び排気口に流通する風量を検出する風量状態検出部７６が故障した状態、並びに、通信手段４の故障により当該通信手段４を介しての通信に異常が生じた状態が設定されている。
【００３６】
優先度３には、使用を継続した場合にプロジェクタ１が故障する可能性がある場合の事象が設定されている。例えば、優先度３には、光源ランプの累積点灯時間が所定時間を超過した状態であるランプ寿命警告状態、筐体２内の温度が所定範囲を越えている高温警告状態、エアフィルタが寿命となったエアフィルタ寿命警告状態、及び、エアフィルタが目詰まりするなどして吸気口及び排気口を流通する風量が低下した風量低下警告状態が設定されている。
【００３７】
優先度４には、映像を投射できない場合の事象が設定されている。例えば、優先度４には、通信手段４と接続されたＰＣ９１及び映像再生装置９２から画像信号が入力していない画像信号未入力状態や、入力した画像信号が制御手段８１にて処理できない画像信号である未対応画像信号入力状態が設定されている。
表示優先度が最も低い優先度５には、映像を正常に投射することができる場合の事象が設定されており、すなわち、プロジェクタ１の投射画像設定及び音声出力設定等の設定を行うことができる汎用項目が設定されている。例えば、優先度５には、投射画像の拡大／縮小の設定、台形補正設定、及び、色合い等の画質設定を行う項目や、スピーカの出力音声の音量及び音質の設定を行う項目が設定されている。
【００３８】
図４は、各表示優先度１〜５に含まれる事象が生じた場合の表示項目の一例を示す図である。
また、記憶手段８２には、前述の事象ごとに、当該事象に対する対処方法が表示項目として記憶されている。これら対処方法は、画像表示手段３により、ＯＳＤ（On Screen Display）のヘルプ画面中に表示される。
例えば、図４における「優先度１」の欄に示すように、優先度１である「エアフィルタ未装着状態」に対しては、エアフィルタの交換を促す対処方法が記憶手段８２に記憶されている。
【００３９】
また、図４における「優先度２」の欄に示すように、優先度２である「通信エラー状態」に対しては、プロジェクタ１の再起動を促す対処方法が記憶されている。
また、図４における「優先度３」の欄に示すように、優先度３である「高温警告異常状態」、「エアフィルタ寿命警告」及び「風量低下警告状態」に対しては、吸排気口の障害物の除去、エアフィルタの掃除及び交換等を促す対処方法が記憶されている。
また、図４における「優先度４」の欄に示すように、優先度４である「画像信号無入力状態」及び「未対応画像信号入力状態」に対しては、ＰＣ９１からの画像出力方法及び映像再生装置９２との接続方法等の対処方法が記憶されている。
さらに、図４における「優先度５」の欄に示すように、優先度５である「画像投射設定不良状態」及び「音声設定不良状態」に対しては、各事象に応じた対処方法が記憶されている。
【００４０】
〔制御手段８１の構成〕
図５は、制御手段８１の構成を示すブロック図である。
制御手段８１は、前述のようにＣＰＵ等により構成され、プロジェクタ１全体の駆動を制御する。この制御手段８１は、記憶手段８２に記憶されたプログラムに沿って、プロジェクタ１の駆動を自律的に制御するほか、使用者による操作手段（リモコン９３及び操作パネル６）の操作に応じて入力する操作信号に基づく処理を実行する。例えば、ヘルプ画面を表示する操作信号が入力した場合には、後述するヘルプ画面表示処理を実行する。
このような制御手段８１は、図５に示すように、操作信号検出部８１１、画像信号処理部８１２、ヘルプ画面表示部８１３、画面重畳部８１４、ライトバルブ駆動制御部８１５及び光源駆動制御部８１６を備えて構成されている。
【００４１】
操作信号検出部８１１は、操作信号受信手段５及び操作パネル６から入力する操作信号を検出し、当該操作信号に応じた処理を、制御手段８１を構成する各機能部８１２〜８１６に実行させる。
画像信号処理部８１２は、通信手段４から入力する画像信号を処理して、フレームごとに構成する。この際、画像信号処理部８１２は、記憶手段８２に記憶された画質情報に応じて、色合い、コントラスト及びガンマ等の補正を行う。そして、画像信号処理部８１２は、処理した画像信号を画面重畳部８１４に出力する。
【００４２】
ヘルプ画面表示部８１３は、操作信号検出部８１１により、操作信号受信手段５及び操作パネル６から入力する操作信号に、ヘルプ画面を表示させる信号が検出された場合に動作し、プロジェクタ１の状態に応じたヘルプ画面に係る画像信号を生成して、後述する画面重畳部８１４及びライトバルブ駆動制御部８１５を介して、画像表示手段３に当該ヘルプ画面を表示させるものである。
このヘルプ画面表示部８１３は、状態情報取得部８１３１、優先順位判定部８１３２、表示項目取得部８１３３及びヘルプ画面生成部８１３４を備えて構成されている。
【００４３】
状態情報取得部８１３１は、状態検出手段７の各機能部７１〜７Ｂから、プロジェクタ１の駆動状態に係る状態情報を取得する。
優先順位判定部８１３２は、状態情報取得部８１３１で取得された状態情報から、現在プロジェクタ１に生じている事象の優先順位を判定する。具体的に、優先順位判定部８１３２は、各事象の優先度を記憶手段から取得し、優先度１〜５に該当する事象が複数生じているか否か、また、複数生じている場合に、当該事象のうち、最も表示優先度が高い事象を判定する。
【００４４】
表示項目取得部８１３３は、優先順位判定部８１３２により、プロジェクタ１で生じている事象が１つの場合には、当該事象に係る対処方法を、また、複数生じている場合には、最も表示優先度が高い事象に対する対処方法を、記憶手段８２から表示項目として取得する。この際、表示項目取得部８１３３は、優先順位判定部８１３２により、同じ表示優先度に係る事象が複数生じていると判定されている場合には、当該同じ表示優先度に係る複数の事象に対応する対処方法を、表示項目として取得する。また、表示項目取得部８１３３は、優先度１〜４に該当する事象が生じていないと判定した場合には、優先度５に対応する汎用項目を取得する。
ヘルプ画面生成部８１３４は、表示項目取得部８１３３により取得された表示項目を含むヘルプ画面を生成し、当該ヘルプ画面に係る画像信号を、画面重畳部８１４に出力する。
【００４５】
画面重畳部８１４は、画像信号処理部８１２により処理された画像信号に係る画面に、ヘルプ画面生成部８１３４により生成されたヘルプ画面を重畳させる。そして、画面重畳部８１４は、重畳された画面に係る画像信号を、ライトバルブ駆動制御部８１５に出力する。なお、画面重畳部８１４は、ヘルプ画面生成部８１３４からヘルプ画面に係る画像信号が入力しない場合には、画像信号処理部８１２から入力する画像信号を、ライトバルブ駆動制御部８１５に出力する。
【００４６】
ライトバルブ駆動制御部８１５は、画面重畳部８１４から入力する画像信号に応じた画像を液晶ライトバルブ３２により形成させるドライバである。具体的に、ライトバルブ駆動制御部８１５は、入力する画像信号に応じて液晶ライトバルブ３２の液晶パネルを駆動するための駆動信号を生成し、当該駆動信号を液晶パネルに出力することにより、当該画像信号に応じた画像を形成させる。
光源駆動制御部８１６は、光源装置３１の点灯を制御する。具体的に、光源駆動制御部８１６は、記憶手段８２に記憶された輝度情報に基づいて、光源装置３１の放電光源ランプに印加する電圧レベルを制御し、当該光源装置３１から射出される光束の輝度を制御する。
【００４７】
〔ヘルプ画面表示処理〕
図６は、ヘルプ画面表示処理の処理過程を示すフローチャートである。
次に、リモコン９３及び操作パネル６に配設されたヘルプキーが入力された場合に実行されるヘルプ画面表示処理について説明する。
このヘルプ画面表示処理は、プロジェクタ１の状態に応じてヘルプ画面を表示する処理であり、操作信号検出部８１１により、ヘルプ画面を表示する信号が検出された際に、制御手段８１が記憶手段８２に記憶されたヘルプ画面表示プログラムを読み込み、当該プログラムを実行することにより処理される。
具体的に、ヘルプ画面表示処理は、図６に示すように、まず、状態検出手段７の各機能部７１〜７Ｂが、プロジェクタ１の状態を検出し、ヘルプ画面表示部８１３を構成する状態情報取得部８１３１が、当該各機能部７１〜７Ｂからプロジェクタ１の状態を示す状態情報を取得する（状態検出ステップＳ１）。
【００４８】
この後、優先順位判定部８１３２が、状態情報取得部８１３１が取得した状態情報に基づいて、各事象の優先度を記憶手段８２から取得し、警告状態（優先度１〜４）の事象が発生しているか否かを判定する（警告状態判定ステップＳ２）。
そして、当該判定ステップＳ２において、警告状態の事象が発生していないと判定されると、表示項目取得部８１３３が、記憶手段８２を参照し、汎用項目である表示優先度５の事象に対応する表示項目を取得する（汎用項目取得ステップＳ３）。この後、制御手段８１は、ステップＳ７に移行する。
【００４９】
一方、判定ステップＳ２において、優先順位判定部８１３２が、警告状態の事象が発生していると判定すると、当該優先順位判定部８１３２は、当該警告状態の事象が複数生じているか否かを判定する（警告数判定ステップＳ４）。
ここで、優先順位判定部８１３２が、警告状態の事象は複数発生していないと判定した場合には、表示項目取得部８１３３は、記憶手段８２を参照し、該当する事象に応じた対処方法、すなわち、現在プロジェクタ１で発生している警告状態に応じた対処方法を表示項目として取得する（表示項目取得ステップＳ５）。この後、制御手段８１は、ステップＳ７に移行する。
【００５０】
また、判定ステップＳ４において、優先順位判定部８１３２が、警告状態の事象が複数発生していると判定した場合には、当該優先順位判定部８１３２は、現在生じている事象のうち、最も高い表示優先度に係る事象を選択する。この際、最も高い表示優先度に係る事象が複数生じている場合には、当該表示優先度に該当し、現在生じている事象の全てを選択する。そして、表示項目取得部８１３３は、優先順位判定部８１３２により選択された全ての事象に応じた対処方法を、記憶手段８２から表示項目として取得する（表示項目取得ステップＳ６）。この後、制御手段８１は、ステップＳ７に移行する。
【００５１】
ステップＳ７では、ヘルプ画面生成部８１３４が、表示項目取得部８１３３により取得された表示項目を含むヘルプ画面を生成し、当該ヘルプ画面に係る画像信号を画面重畳部８１４に出力する（ヘルプ画面生成ステップＳ７）。
次に、画面重畳部８１４は、画像信号処理部８１２から入力する画像信号に係る画面に、ヘルプ画面生成部８１３４から入力するヘルプ画面を重畳させ、当該画面に係る画像信号をライトバルブ駆動制御部８１５に出力する。そして、ライトバルブ駆動制御部８１５は、入力した画像信号に係る駆動信号を、画像表示手段３の液晶ライトバルブ３２に出力し、当該液晶ライトバルブ３２により、入力した駆動信号に基づく画像を形成させる。これにより、当該画像が投射レンズ３３によりスクリーンＳＣの投射面上に投影され、ヘルプ画面が表示される（ヘルプ画面表示ステップＳ８）。
【００５２】
以上説明した本実施形態のプロジェクタ１によれば、以下の効果を奏することができる。
すなわち、状態検出ステップＳ１にて、状態検出手段７の各機能部７１〜７Ｂにより検出された状態情報に基づいて、ヘルプ画面表示部８１３を構成する表示項目取得部８１３３が、表示項目取得ステップＳ６にて、プロジェクタ１で生じている事象のうち、ヘルプ画面として表示すべき表示優先度の高い事象に応じた表示項目を取得する。そして、ヘルプ画面生成ステップＳ７にて、ヘルプ画面生成部８１３４により、取得された表示項目を含むヘルプ画面が生成され、ヘルプ画面表示ステップＳ８にて、画面重畳部８１４及びライトバルブ駆動制御部８１５の制御下で、当該ヘルプ画面に係る画像が、画像表示手段３により表示される。この際、本実施形態のプロジェクタ１では、例えば、ファン故障状態やエアフィルタ未装着状態のように、深刻な異常が発生した状態が、最も高い優先度１に設定されており、当該異常に対する対処方法を、ヘルプ画面として表示する。
【００５３】
これによれば、プロジェクタ１が深刻な状態にあること、及び、当該深刻な状態に対する対処方法を、他の事象に優先して使用者に通知することができる。従って、このようなヘルプ画面を表示することにより、プロジェクタ１に生じた深刻な状態に対して、使用者に迅速に対処させることができる。
さらに、リモコン９３や操作パネル６のヘルプキーを入力することにより、現在プロジェクタ１で発生している事象に応じた表示項目である対処方法がヘルプ画面中に表示されるので、当該事象に応じた表示項目を探す手間を省くことができる。従って、プロジェクタ１に発生した事象に対して一層迅速に対処することができるとともに、プロジェクタ１の操作性を向上することができる。
【００５４】
また、状態検出手段７の各機能部７１〜７Ｂによって検出されるプロジェクタ１の各事象の優先度及び表示項目である対処方法は、記憶手段８２に予め記憶されている。そして、ヘルプ画面表示処理において、表示項目取得部８１３３が、状態検出手段７から取得したプロジェクタ１の状態情報に基づいて、現在プロジェクタ１に発生している各事象のうち最も優先度が高い事象に応じた表示項目である対処方法を記憶手段８２から取得し、ヘルプ画面生成部８１３４が、取得した対処方法を含むヘルプ画面を表示する。
これによれば、優先度の順位判定を誤りなく行うことができるほか、煩雑な処理を行わずに、現在プロジェクタ１に発生している事象のうち、優先度の高い事象に応じた表示項目を適切に表示することができる。
さらに、記憶手段８２に記憶された各事象の優先度や、表示項目（本実施形態では、対処方法）を変更することにより、プロジェクタ１の構成に応じてヘルプ画面中の表示内容を変更することができる。従って、プロジェクタ１の汎用性を向上することができる。
【００５５】
〔実施形態の変形〕
本発明は前述の実施形態に限定されるものではなく、本発明の目的を達成できる範囲での変形、改良等は本発明に含まれるものである。
前記実施形態では、優先度は、プロジェクタ１に生じる可能性のある異常の深刻度に応じて表示すべき順位として設定したが、本発明はこれに限らない。例えば、使用者が頻繁に変更する設定等に応じて優先度を設定してもよい。また、本実施形態では、表示項目は、状態検出手段７によって検出された異常等に対する対処方法としたが、本発明はこれに限らず、状態のみを通知するものでもよく、あるいは、操作説明書が添付されている場合には、当該操作説明書の頁数等を通知するようにしてもよい。
【００５６】
前記実施形態では、プロジェクタ１の状態を検出する状態検出手段７は、各機能部７１〜７Ｂを備えて構成されるとしたが、本発明はこの構成に限定されるものではない。例えば、これら機能部７１〜７Ｂのうちの少なくともいずれかが無くてもよく、また例えば、画質の劣化状態など他の状態を検出する機能部を備える構成としてもよい。すなわち、状態検出手段は、プロジェクタ１の動作や構成の状態を検出できれば、構成は問わない。
【００５７】
前記実施形態では、リモコン９３及び操作パネル６のヘルプキーが入力された際に、前述のヘルプ画面を表示するとしたが、本発明はこれに限らず、優先度が高い事象が生じた場合には、当該ヘルプ画面を表示するように構成してもよい。
また、ヘルプ画面については、インターネット及びイントラネット等の所定のネットワークに接続されたサーバ等にアクセスし、当該サーバからＨＴＭＬ（Hyper Text Markup Language）やＸＭＬ（Extensible Markup Language）等のプログラム言語で記載されたコンテンツとして取得することで表示できるように構成してもよい。このような場合には、当該コンテンツを表示可能なＷｅｂブラウザ等のプログラムを予め記憶手段８２に記憶させておき、当該プログラムを制御手段８１が実行することにより、ヘルプ画面を表示するように構成してもよい。
【００５８】
前記実施形態では、ヘルプ画面表示プログラムは、フラッシュメモリにより構成された記憶手段８２に記憶され、リモコン９３または操作パネル６のヘルプキーが入力された場合に、当該記憶手段８２から読み出されて実行されるとしたが、本発明はこれに限らない。例えば、当該プログラムは、ＣＤ（Compact Disc）及びＤＶＤ（Digital Versatile Disc）等の光ディスク、磁気ディスク、及びＲＯＭ（Read Only Memory）等の半導体メモリ等の記録媒体に記憶され、ヘルプキーの入力に応じた操作信号が入力することで、制御手段８１により読み出されるように構成してもよい。すなわち、ヘルプ画面表示プログラムの記録形態は問わない。
【００５９】
前記実施形態では、光変調装置として液晶ライトバルブ３２を備えたプロジェクタ１を例示したが、光源装置３１から射出された光束を画像情報に応じて変調して光学像を形成可能な光変調装置であれば、他の構成の光変調装置を採用してもよい。例えば、マイクロミラーを用いたデバイスなど、液晶以外の光変調装置を用いたプロジェクタにも、本発明を適用することも可能である。
【００６０】
前記実施形態では、画像表示装置として、スクリーンを観察する方向から投射を行なうフロントタイプのプロジェクタ１を例示したが、本発明はこれに限らず、スクリーンを観察する方向とは反対側から投射を行なうリアタイプのプロジェクタにも適用することもできる。また、プロジェクタに限らず、液晶、プラズマ及び有機ＥＬ等のディスプレイや、ＣＲＴ（Cathode Ray Tube）等の表示装置に、本発明を適用することも可能である。
【産業上の利用可能性】
【００６１】
本発明は、画像表示装置に好適に利用することができる。
【符号の説明】
【００６２】
１…プロジェクタ（画像表示装置）、３…画像表示手段、７…状態検出手段、８１…制御手段、８２…記憶手段、８１３…ヘルプ画面表示部、８１３３…表示項目取得部、８１３４…ヘルプ画面生成部、Ｓ１…状態検出ステップ、Ｓ６…表示項目取得ステップ、Ｓ７…ヘルプ画面生成ステップ、Ｓ８…ヘルプ画面表示ステップ。
【図１】
2014209244.tif 000003
【図２】
2014209244.tif 000004
【図３】
2014209244.tif 000005
【図４】
2014209244.tif 000006
【図５】
2014209244.tif 000007
【図６】
2014209244.tif 000008
【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
画像表示装置であって、
入力する画像情報に応じた画像を表示する画像表示手段と、
当該画像表示装置の状態を検出する状態検出手段と、
前記状態検出手段により検出される当該画像表示装置の状態に係る各事象と、前記各事象の優先度と、前記各事象に応じた表示項目とが関連付けて記憶された記憶手段と、
前記状態検出手段により当該画像表示装置の状態に係る前記各事象が複数検出された場合であって、検出された当該各事象のうち、優先度が最も高い事象が複数検出された場合に、それぞれ検出された前記優先度が最も高い事象に係るヘルプ画面の全てを、前記画像表示手段に表示させるヘルプ画面表示部と、を備えることを特徴とする画像表示装置。
【請求項２】
請求項１に記載の画像表示装置において、
前記ヘルプ画面表示部は、
前記状態検出手段により検出された当該画像表示装置の状態に係る事象のうち、優先度の高い事象に応じた前記表示項目を前記記憶手段から取得する表示項目取得部と、
取得された前記表示項目が表記された前記ヘルプ画面を生成するヘルプ画面生成部と、を備えることを特徴とする画像表示装置。
【請求項３】
画像表示装置に用いられ、当該画像表示装置の状態に応じたヘルプ画面を表示するヘルプ画面表示方法であって、
前記画像表示装置の状態を検出する状態検出ステップと、
前記画像表示装置の状態に係る各事象と、前記各事象の優先度と、前記各事象に応じた表示項目とが関連付けて記憶された記憶手段を参照して、前記状態検出ステップにて検出された前記画像表示装置の状態に係る事象の優先度を取得する優先度取得ステップと、
前記状態検出ステップにて前記画像表示装置の状態に係る前記各事象が複数検出された場合であって、検出された当該各事象のうち、優先度が最も高い事象が複数検出された場合に、それぞれ検出された前記優先度が最も高い事象に係るヘルプ画面の全てを表示するヘルプ画面表示ステップと、を含むことを特徴とするヘルプ画面表示方法。
【請求項４】
請求項３に記載のヘルプ画面表示方法において、
前記ヘルプ画面表示ステップでは、
前記状態検出ステップにて検出された前記画像表示装置の状態に係る事象のうち、優先度が高い事象に応じた前記表示項目を前記記憶手段から取得し、
取得された前記表示項目が表記された前記ヘルプ画面を生成し、
生成された前記ヘルプ画面を表示することを特徴とするヘルプ画面表示方法。
【手続補正３】
【補正対象書類名】明細書
【補正対象項目名】０００１
【補正方法】変更
【補正の内容】
【０００１】
本発明は、画像表示装置及びヘルプ画面表示方法に関する。
【手続補正４】
【補正対象書類名】明細書
【補正対象項目名】０００６
【補正方法】変更
【補正の内容】
【０００６】
本発明の目的は、状態に応じて優先度の高い項目を含むヘルプ画面を表示することができる画像表示装置及びヘルプ画面表示方法を提供することである。
【手続補正５】
【補正対象書類名】明細書
【補正対象項目名】０００７
【補正方法】変更
【補正の内容】
【０００７】
本発明の画像表示装置は、入力する画像情報に応じた画像を表示する画像表示手段と、当該画像表示装置の状態を検出する状態検出手段と、前記状態検出手段により検出される当該画像表示装置の状態に係る各事象と、前記各事象の優先度と、前記各事象に応じた表示項目とが関連付けて記憶された記憶手段と、前記状態検出手段により当該画像表示装置の状態に係る前記各事象が複数検出された場合であって、検出された当該各事象のうち、優先度が最も高い事象が複数検出された場合に、それぞれ検出された前記優先度が最も高い事象に係るヘルプ画面の全てを、前記画像表示手段に表示させるヘルプ画面表示部と、を備えることを特徴とする。
本発明では、前記ヘルプ画面表示部は、前記状態検出手段により検出された当該画像表示装置の状態に係る事象のうち、優先度の高い事象に応じた前記表示項目を前記記憶手段から取得する表示項目取得部と、取得された前記表示項目が表記された前記ヘルプ画面を生成するヘルプ画面生成部と、を備えることが好ましい。
本発明のヘルプ画面表示方法は、画像表示装置に用いられ、当該画像表示装置の状態に応じたヘルプ画面を表示するヘルプ画面表示方法であって、前記画像表示装置の状態を検出する状態検出ステップと、前記画像表示装置の状態に係る各事象と、前記各事象の優先度と、前記各事象に応じた表示項目とが関連付けて記憶された記憶手段を参照して、前記状態検出ステップにて検出された前記画像表示装置の状態に係る事象の優先度を取得する優先度取得ステップと、前記状態検出ステップにて前記画像表示装置の状態に係る前記各事象が複数検出された場合であって、検出された当該各事象のうち、優先度が最も高い事象が複数検出された場合に、それぞれ検出された前記優先度が最も高い事象に係るヘルプ画面の全てを表示するヘルプ画面表示ステップと、を含むことを特徴とする。
本発明では、前記ヘルプ画面表示ステップでは、前記状態検出ステップにて検出された前記画像表示装置の状態に係る事象のうち、優先度が高い事象に応じた前記表示項目を前記記憶手段から取得し、取得された前記表示項目が表記された前記ヘルプ画面を生成し、生成された前記ヘルプ画面を表示することが好ましい。
【手続補正６】
【補正対象書類名】明細書
【補正対象項目名】０００８
【補正方法】変更
【補正の内容】
【０００８】
本発明の関連技術に係る画像表示装置は、入力する画像情報に応じた画像を表示する画像表示手段と、装置全体を制御する制御手段とを備えた画像表示装置であって、当該画像表示装置の状態を検出する状態検出手段を備え、前記制御手段は、前記状態検出手段により検出された当該画像表示装置の状態に基づいて、当該状態における優先度の高い事象に係るヘルプ画面を、前記画像表示手段に表示させるヘルプ画面表示部を備えることを特徴とする。
ここで、優先度の高低とは、画像表示装置の駆動における異常の深刻度とすることができ、例えば、直ちに対処すべき事象は、優先度が高く、また、画像表示設定等の画像表示装置の設定に関する事象は、優先度を低くすることができる。
また、ヘルプ画面は、画像表示装置が自律的に表示するようにしてもよく、また、使用者の操作によって表示するようにしてもよい。さらに、ヘルプ画面の内容としては、状態検出手段により検出された各事象に関連した情報とすることができ、例えば、異常に対処するための対処方法や、異常が発生したことを示すメッセージとすることができるほか、異常等が生じていない場合には、設定項目を含むメニュー画面とすることもできる。
加えて、画像表示装置の状態とは、状態検出手段により複数の事象を検出可能である場合には、当該各事象を総じて表すものであり、このような事象としては、当該画像表示装置の動作状態（例えば、冷却用のファンが設けられている場合には、当該ファンの駆動状態）のほか、画像表示装置が有する構成の状態（例えば、吸気口が形成され、当該吸気口にフィルタが設けられている場合には、当該フィルタの目詰まり状態）とすることができる。
【手続補正７】
【補正対象書類名】明細書
【補正対象項目名】０００９
【補正方法】変更
【補正の内容】
【０００９】
上記関連技術に係る画像表示装置によれば、ヘルプ画面表示部により画像表示手段にて表示されるヘルプ画面は、画像表示装置の状態に基づく優先度の高い事象に係るヘルプ画面とされる。これによれば、例えば、画像表示装置の駆動において深刻な異常が発生した場合には、他の事象に優先して当該異常と認識される事象に関する情報を表示することができる。このため、使用者に当該異常に関係する情報をヘルプ画面として通知することができる。従って、画像表示装置に深刻な異常が生じた場合に、当該異常に対して使用者が迅速に対応することができる。
また、画像表示装置の状態に応じて優先度の高い事象に係るヘルプ画面を表示することにより、使用者が表示されたメニュー画面から、現在の画像表示装置の状態に沿って項目を選択する等の手間を省くことができる。従って、画像表示装置の操作性を向上することができる。
【手続補正８】
【補正対象書類名】明細書
【補正対象項目名】００１０
【補正方法】変更
【補正の内容】
【００１０】
上記関連技術に係る画像表示装置では、前記状態検出手段により検出される当該画像表示装置の状態に係る各事象と、前記各事象の優先度と、前記各事象に応じた表示項目とが関連付けて記憶された記憶手段を備え、前記ヘルプ画面表示部は、前記状態検出手段により検出された当該画像表示装置の状態に係る前記各事象のうち優先度の高い事象に応じた前記表示項目を前記記憶手段から取得する表示項目取得部と、取得された前記表示項目が表記された前記ヘルプ画面を生成するヘルプ画面生成部とを備えることが好ましい。
【手続補正９】
【補正対象書類名】明細書
【補正対象項目名】００１１
【補正方法】変更
【補正の内容】
【００１１】
上記関連技術に係る画像表示装置によれば、記憶手段には、状態検出手段で検出可能な各事象と、当該各事象に対応する優先度と、当該各事象が発生した場合に表示すべき表示項目とが関連付けられて記憶されている。そして、表示項目取得部が、状態検出手段により検出された画像表示装置の状態の各事象のうち、優先度が高い事象に対応する表示項目を記憶手段から取得し、ヘルプ画面生成部が、取得された表示項目が表記されたヘルプ画面を生成する。
これによれば、状態検出手段が検出する画像表示装置の状態に応じて、優先度及び表示項目を予め記憶手段に記憶させておくことで、確実に優先度の高い事象に応じた表示項目を画像表示手段に表示させることができる。従って、適切な表示項目を適切な優先度に従って表示することができる。
また、記憶手段に記憶された優先度や表示項目を変更することにより、画像表示装置の構成に合わせて記憶手段の内容及びヘルプ画面の表示内容を変更することができる。従って、画像表示装置の汎用性を向上することができる。
【手続補正１０】
【補正対象書類名】明細書
【補正対象項目名】００１２
【補正方法】変更
【補正の内容】
【００１２】
また、本発明の関連技術に係るヘルプ画面表示方法は、入力する画像情報に応じた画像を表示する画像表示手段と、装置全体を制御する制御手段とを備えた画像表示装置に用いられ、当該画像表示装置の状態に応じたヘルプ画面を表示するヘルプ画面表示方法であって、前記画像表示装置は、当該画像表示装置の状態を検出する状態検出手段を備え、当該ヘルプ画面表示方法は、前記状態検出手段により、前記画像表示装置の状態を検出する状態検出ステップと、検出された前記状態に基づいて、当該状態における優先度の高い事象に係るヘルプ画面を、前記画像表示手段に表示させるヘルプ画面表示ステップとを有することを特徴とする。
【手続補正１１】
【補正対象書類名】明細書
【補正対象項目名】００１３
【補正方法】変更
【補正の内容】
【００１３】
上記関連技術に係るヘルプ画面表示方法によれば、上記関連技術に係る画像表示装置と同様の効果を奏することができる。
すなわち、ヘルプ画面表示ステップにて、画像表示手段により表示されるヘルプ画面は、状態検出ステップにて検出された画像表示装置の状態に基づく優先度の高い事象に係るヘルプ画面とされる。これによれば、例えば、画像表示装置に生じる深刻な異常に対して優先度が高く設定されている場合には、他の事象に優先して当該異常に係るヘルプ画面を表示して、使用者に当該異常の発生を通知することができる。従って、当該深刻な異常に対して迅速に対処することができる。
また、画像表示装置の状態に応じて優先度の高い事象に係るヘルプ画面を表示することにより、当該画像表示装置の状態に合わせて、表示されたメニュー画面上の項目を選択する等の手間を省くことができる。従って、画像表示装置の操作性を向上することができる。
【手続補正１２】
【補正対象書類名】明細書
【補正対象項目名】００１４
【補正方法】変更
【補正の内容】
【００１４】
また、上記関連技術に係るヘルプ画面表示方法では、前記画像表示装置は、前記状態検出手段により検出される当該画像表示装置の状態に係る各事象と、前記各事象の優先度と、前記各事象に応じた表示項目とが関連付けて記憶された記憶手段を備え、当該ヘルプ画面表示方法は、前記状態検出ステップの後に、前記状態検出手段により検出された前記画像表示装置の状態に係る前記各事象のうち、優先度が高い事象に応じた前記表示項目を前記記憶手段から取得する表示項目取得ステップと、取得された前記表示項目が表記された前記ヘルプ画面を生成するヘルプ画面生成ステップとを有し、前記ヘルプ画面表示ステップは、前記ヘルプ画面生成ステップにて生成された前記ヘルプ画面を表示させることが好ましい。
【手続補正１３】
【補正対象書類名】明細書
【補正対象項目名】００１５
【補正方法】変更
【補正の内容】
【００１５】
上記関連技術に係るヘルプ画面表示方法によれば、上記関連技術に係る画像表示装置と同様の効果を奏することができる。
すなわち、当該ヘルプ画面表示方法によれば、状態検出ステップにて検出された画像表示装置の状態から、表示項目取得ステップにて、当該状態の各事象のうち優先度が高い事象に対応する表示項目が取得され、ヘルプ画面生成ステップにて、取得された表示項目が表記されたヘルプ画面が生成され、当該ヘルプ画面がヘルプ画面表示ステップにて表示される。
これによれば、状態検出手段により検出される画像表示装置の状態に応じて、優先度及び表示項目を記憶手段に記憶させておくことで、優先度の高い事象に応じた表示項目を、誤りなく表示させることができる。また、記憶手段に記憶された優先度や表示項目の内容を変更することにより、画像表示装置の構成に合わせてヘルプ画面の表示内容を変更することができる。従って、画像表示装置の汎用性を向上することができる。
【手続補正１４】
【補正対象書類名】明細書
【補正対象項目名】００１６
【補正方法】変更
【補正の内容】
【００１６】
また、本発明の関連技術に係るヘルプ画面表示プログラムは、入力する画像情報に応じた画像を表示する画像表示手段と、装置全体を制御する制御手段とを備えた画像表示装置の前記制御手段により実行され、前記画像表示装置の状態に応じたヘルプ画面を表示するヘルプ画面表示プログラムであって、前記画像表示装置は、当該画像表示装置の状態を検出する状態検出手段を備え、当該ヘルプ画面表示プログラムは、前記制御手段に、前記状態検出手段により検出された前記画像表示装置の状態に係る状態情報を取得する状態情報取得ステップと、取得された前記状態情報に基づいて、優先度の高い事象に係るヘルプ画面を、前記画像表示手段に表示させるヘルプ画面表示ステップとを実行させることを特徴とする。
【手続補正１５】
【補正対象書類名】明細書
【補正対象項目名】００１７
【補正方法】変更
【補正の内容】
【００１７】
上記関連技術に係るヘルプ画面表示プログラムによれば、上記関連技術に係るヘルプ画面表示方法と同様の効果を奏することができる。
すなわち、表示されるヘルプ画面は、検出された画像表示装置の状態に基づく優先度の高い事象に応じたヘルプ画面とされるので、例えば、画像表示装置に生じる深刻な異常に対して優先度が高く設定されている場合には、当該異常に係るヘルプ画面を表示して、使用者に当該異常の発生を通知することができる。従って、当該深刻な異常に対して迅速に対処することができる。また、画像表示装置の状態に基づいて、優先度の高い事象に係るヘルプ画面を表示することにより、表示されたメニュー画面上の項目から、現在の画像表示装置の状態に対応する項目を使用者が選択する等の手間を省くことができる。従って、画像表示装置の操作性を向上することができる。
【手続補正１６】
【補正対象書類名】明細書
【補正対象項目名】００１８
【補正方法】変更
【補正の内容】
【００１８】
また、本発明の関連技術に係る記録媒体は、上記関連技術に係るヘルプ画面表示プログラムをコンピュータ読取可能に記録したことを特徴とする。
当該記録媒体によれば、画像表示装置が、当該記録媒体に記録されたヘルプ画面表示プログラムを読み取って実行することにより、前述のヘルプ画面表示プログラムと同様の効果を奏することができる。また、記録媒体として、ＤＡＴ（Digital Audio Tape）等の磁気テープ、ＦＤ（Flexible Disc）等の磁気ディスク、ＣＤ（Compact Disc）及びＤＶＤ（Digital Versatile Disc）等の光ディスク、光磁気ディスク、ハードディスク装置、並びに、ＲＯＭ（Read Only Memory）及びフラッシュメモリ等の半導体メモリ等を用いることができ、これらを利用して、前述のヘルプ画面表示プログラムをインストール、実行及び配布することができる。